(57)【特許請求の範囲】
【請求項１】
紙パルプで形成された装飾品であって、前記装飾品は、
それぞれが切断された縁を有する一対の中空の二分割された半製品であって、互いに結合されることで中空の３次元の装飾品が形成される半製品、および
少なくとも一つの孔と切り口を有する略平面状の位置合わせ部材、を備え、
前記切り口は前記孔とは離れていて、前記略平面状の位置合わせ部材の外側の縁に沿って位置し、前記略平面状の位置合わせ部材の内側に延びており、かつ、
前記略平面状の位置合わせ部材は前記切り口の部分を除いて前記中空の３次元の装飾品の断面と同じ大きさ、同じ形をしており、
前記装飾品は、さらに前記中空の３次元の装飾品を吊るすための吊架を備え、前記吊架は少なくとも前記切り口から前記孔に延在しており、
前記略平面状の位置合わせ部材は、前記中空の３次元の装飾品の内部に位置しており、前記一対の中空の二分割された半製品が切断された縁の部分で結合し前記中空の３次元の装飾品を形成するように、前記切断された縁が前記略平面状の位置合わせ部材によって位置決めされることを特徴とする、装飾品。
【請求項２】
前記吊架は、紐、糸、クリップのうちの一つである、請求項１に記載の装飾品。
【発明の詳細な説明】
【技術分野】
【０００１】
本発明は主に紙パルプで形成された玩具、娯楽や遊戯用品等の工業の物品の軽工業に関する。
【０００２】
紙パルプで形成されていることは環境保護の観点により様々な種類の外面加工に適し、中空三次元要素である装飾的・実用的な物品において見通しの明るい素材である。紙パルプで形成されているので張子と類似している点もある。
【背景技術】
【０００３】
技術手法により張子から製造する方法もある（ＡＣ４６７８３、公開日：１９３６年４月３０日）。その方法により回転している木塊材は水分で柔らかくなった幾層の紙に包まれ、５・６層の糊附いた紙が載せられる。乾燥後、対称の半分に切断され、木製の半製品が引き出され、切断面は糊で塗られ、繋ぎ目は紙で貼り付け、両面が接続される。
【０００４】
技術手法により次のような問題の解決が従来技術として知られている。塗料の層の耐久性を強化し、製品の品質を向上させ、製造期間を短縮させ、製造コストも減価させる。
【０００５】
（ロシア連邦特許第２１３２７８１号、公開日：１９９９年７月１０日）。その為、厚紙は天然糊に浸透させた液体に塗られ、木塊材に巻き付けられる際、酢酸ビニル樹脂を基にした糊で覆われ、その後巻枠は伸縮自在の撚ったものに締められる。組み立てられた物品の表面研磨後、完璧で平坦な状態に最終的仕上げられ、何回か多量の漆に浸透させる。
【０００６】
張子の物品の耐水性を向上させる為、ロシア連邦特許第２１２７７８５号、公開日：１９９９年３月２０日が登録されている。本発明の方法により紙の材料は物品の型に相当している心棒に巻き付けられ、各層別に糊に塗られ、半製品が乾燥される。乾燥された半製品は幾つかの部分に切断され、心棒から取り外され、部品が組み立てられ、表面が加工される。乾燥させる前に半製品が心棒の軸の方向に圧縮され、乾燥は半製品が８−１０％の湿度に達するまで常温で行われ、その後半製品は灯油と植物性油脂の混合液に浸される。再び乾燥された半製品は完成寸法に相当している大きさに切断される。
【０００７】
上記の方法により製造された全ての製品には中空三次元要素のように紙パルプから製造された半製品の繋ぎ目を貼り合わせた箇所が特徴付けられている。
【０００８】
ロシア連邦特許第２１２７７８５号から既知の方法により生産された物品はロシア連邦実用新案第５２７７１号、公開日：２００６年４月２７日より総合的かつ本質的な特徴にしたがった類似物に最も近いものである。指定された[１]特許に記述された工芸装飾的な物品は形作りの木製・ガラス・石膏・陶土・張子から製造可能な基礎６を持っている。基礎６に合成繊維の生地（ポリエステル、ポリアミド、ポリエステル樹脂）からなるリボン７が設置され、それに表面層１を熱溶接の接合により取り付ける。基礎部分は中に残り、半製品は中空三次元要素に分かれない。従って２つの中空三次元要素を物品に結合する必要性もない。
【先行技術文献】
【特許文献】
【０００９】
【特許文献１】ロシア連邦実用新案第５２７７１号
【特許文献２】ロシア連邦特許第２１２７７８５号
【特許文献３】ロシア連邦特許第２１３２７８１号
【発明の概要】
【発明が解決しようとする課題】
【００１０】
従来技術において一番近い類似物の欠点は幾何学的な寸法の空間剛性（相対的に平坦な要素）中空三次元要素の不安定である。この欠点の為、既知の方法により同型の互換性のある物品の大量生産が不可能である。同型の設備で製造される同型の半製品は、違う湿分を持っている為、幾何学的な寸法は本質的に相違しており、末端で接合することは不可能であるという課題がある。
【発明の効果】
【００１１】
本発明の目的は工業的環境において紙で形成された装飾的・実用的な製造の大量生産を可能にすることである。
【００１２】
本発明使用の際、技術的な結果として幾何学の寸法の安定、空虚で立体的な物体の構造における剛性確保、同型の半製品を大量生産する際に適応させ、要素の互換性のある装飾的・実用的な製造を可能にする。
【課題を解決するための手段】
【００１３】
紙で形成されているうち、それぞれの中空三次元要素は内部の半製品の型と同様の嵌め込みがあり、装飾的・実用的製造によって本発明の目的や技術的な結果が達成される。
【００１４】
嵌め込み口、吊架の固定の為の切り口又は重りの設置を含める場合もあり、立体的な半製品の要素は対称又は非対称でもある。
【図面の簡単な説明】
【００１５】
本発明は図面により解説されている：
【図１】“鈴”（“半鈴”）という中空三次元要素である装飾的・実用的な製造の物体が表示されている。
【図２】中空三次元要素（図１）の略平面状の位置合わせ部材が表示されている。
【図３】中空三次元要素（図１）と略平面状の位置合わせ部材（図２）の組み立て前が表示されている。
【図４】略平面状の位置合わせ部材（図２）と中空三次元要素（図１）の組み立て図である。
【図５】“半鈴”という装飾的・実用的な物品の着色や表面の染色及び絵画を付ける為の半製品が表示されている。
【図６】平坦な表面に配置される為に完成した装飾的・実用的な物品“半鈴”が表示されている。
【図７】中空三次元要素（図１）の吊架の部分を有する略平面状の位置合わせ部材が表示されている。
【図８】中空三次元要素（図１）と略平面状の位置合わせ部材（図７）の組み立て前が表示されている。
【図９】吊架を有する略平面状の位置合わせ部材（図７）は中空三次元要素（図１）が表示されている。
【図１０】初めに組み立てられた略平面状の位置合わせ部材が部分的に嵌め込まれた中空三次元要素（図９）と二番目の吊架を有する中空三次元要素（図１）の組み立て前が表示されている。
【図１１】“鈴”という装飾的・実用的な物品の着色や表面の染色及び絵画を付ける為に半製品が表示されている。
【図１２】吊架の部分を有する“鈴”という完成した装飾的・実用的な物品が表示されている。
【図１３】“天使”という中空三次元要素である装飾的・実用的な物体が表示されている。
【図１４】中空三次元要素（図１）の吊架の部分と下部に設置する重りの為の孔を有する略平面状の位置合わせ部材が表示されている。
【図１５】中空三次元要素（図１３）と重りが装備された略平面状の位置合わせ部材（図１４）の組み立ての前が表示されている。
【図１６】吊架を有する略平面状の位置合わせ部材（図１３）と中空三次元要素（図１４）が表示されている。
【図１７】初めに組み立てられた略平面状の位置合わせ部材が部分的に嵌め込まれた中空三次元要素（図１５）と二番目の吊架を有する中空三次元要素（図１３）の組み立て前が表示されている。
【図１８】“天使”という装飾的・実用的な物品の着色や表面の染色及び絵画を付ける為の半製品が表示されている。
【図１９】中に重りが配置された吊架の部分を有する“天使”という完成した装飾的・実用的な物品が表示されている。
【図２０】“急須”という一番目の中空三次元要素である装飾的・実用的な物体が表示されている。
【図２１】“急須”という二番目の中空三次元要素である装飾的・実用的な物体が表示されている。
【図２２】中空三次元要素（図２０と図２１）の下部に配置される重りの為に補足の孔を有する略平面状の位置合わせ部材が表示されている。
【図２３】“急須の蓋”という三番目の独自の中空三次元要素である装飾的・実用的な物体が表示されている。
【図２４】中空三次元要素（図２０）と重りが装備された略平面状の位置合わせ部材（図２２）の組み立ての前が表示されている。
【図２５】初めに組み立てられた略平面状の位置合わせ部材が部分的に嵌め込まれた中空三次元要素（図２４）と二番目の吊架を有する中空三次元要素（図２１）の組み立て前が表示されている。
【図２６】“急須と蓋”という装飾的・実用的な物品の着色や表面の染色及び絵画を付ける為の半製品が表示されている。
【図２７】急須の中に重りが配置された“急須と蓋”という完成した装飾的・実用的な物品が表示されている。
【発明を実施するための形態】
【００１６】
紙パルプ（産業廃棄物の再利用、主に紙原料の再利用）で形成された装飾的・実用的な物品はある半製品の少なくとも一つ切断された縁２の中空三次元要素１を含めており、ある基盤の表面（図には表示されていない）と分解し難い接続、又は応答の切断された縁２’の隣接の中空三次元要素と接合を可能にするように実施されている。中空三次元要素１に分解し難い接続と接触している少なくとも内部の表面４の一部と、切断された縁２の輪郭に接している略平面状の位置合わせ部材３が配置されている。既成の半製品は殊に着色や表面６の染色及び絵画５を付ける為である。
【００１７】
製品の補足は次のような特徴である：略平面状の位置合わせ部材３は少なくとも吊架（紐、糸、クリップ等）９の固定の為一個の孔７と一個の切り口８、又は重り１０の設置、又は磁石（図には表示されていない）、又は両面粘着テープ（図には表示されていない）を含んでいる。略平面状の位置合わせ部材３は中空三次元要素の内部の表面４に接触が可能になるように製造されている。末端で接合される中空三次元要素１と１’は軸及び／又は平坦な対称を原則として形成されている一方、中空三次元要素の切断された縁２と２’は輪郭４（図１１と図１８参照）に結び付けられるように製造され、又は切断された縁２と２’は結び付けられ、少なくとも輪郭４（図２６参照）に沿い、非対称に製造されている。中空三次元要素１と１’の相互に分解し難い及び／又は基礎の表面及び／又は略平面状の位置合わせ部材３との接合は接着面１１を結成した方法により施された。
【００１８】
半製品６の表面は補足の装飾的な仕上げ：ビーズ、マクラメ等（表示されていない）を含有する場合もある。中空三次元要素１と１’の完成した組合せはクリスマスツリーの形又は同様の玩具（図６、図１２、図１９、図２７参照）の形をもって作成可能である。製品自体は独自要素の組み合わせ（図１−３又は図１，７，８及び１０、又は１３，１４及び１５、又は２０−２５）の形をもって作成可能である。例えば仮に玩具と称する装飾的・実用的な物品の為の贈り物セット等の、ある集合の構成要素の中に含まれている独自要素の組み合わせにより作成出来る。装飾的・実用的な物品は立体的な幾何学的図形（球、立方体等）、人気ある製品（自動車、器具等）、様式化している植物・動物・物語の人物等の形でもある。
【００１９】
発明の重要な特徴分析
紙パルプで形成されていることは環境保護の観点により様々な種類の外面加工に適し、中空三次元要素である装飾的・実用的な物品において見通しの明るい素材である。
【００２０】
１．紙パルプで形成されているので張子と類似している点もある。全てにおいて上記の素材（特に張子）の欠点は幾何学的な寸法の空間剛性（相対的に平坦な要素）中空三次元要素の不安定である。この欠点の為、既知の方法により同型の互換性のある物品の大量生産が不可能である。同型の設備で製造される同型の半製品でも違う湿分を持っている為、幾何学的な寸法は本質的に相違しており、末端で接合することは不可能である。縁２の切断は、殊に接触表面の扁平、型の公差を安定化することを可能にする一方、プロフィールの公差は切断された縁２にも安定化することは不可能である。配置の公差にも、特に対称性に同じ傾向が見られる。
【００２１】
様々な金属製とプラスチック製の製品は上記の欠点を免れているが、装飾的加工により、特殊な設備及び素材が必要になってくる為、廃棄物利用も困難であり、一般消費者向けの商品としても近づき難くなってくる。
【００２２】
紙パルプで形成されている製品（組み立て式の製品を含め）の上記指定された欠点は理論上の（正確な）形や中空三次元要素１（切断された縁２の輪郭に接する内側の表面４）の末端で接合する部分や配置を再現している略平面状の位置合わせ部材３を使用しながら除去することが可能である。例えば、製品は鈴の半分、凸面の五角の星、卵の半分等を再現している中空三次元要素１を基にして製造されていると、成型や乾燥後、縁２を切断しても不規則な輪郭の形を持ち得る。製品の主に同様の材料（紙、厚紙等）から作られている略平面状の位置合わせ部材３は鈴・星・卵等の切断された縁２の輪郭に接する内側の表面４を再現し、上記の欠点を完全に除去する。嵌め込み物３の中空三次元要素１に対しての固定は摩擦効力又は接着面又はそれらの組み合わせにより実行可能である。上記の中空三次元要素１（“星”の半分・鈴等）は装飾され、基盤の表面（事務所の天井等）に取り付けられ、一定の様式のインテリアのデザインを得ることが可能である。単一の中空三次元要素１に二番目の要素（二番目の半分）を貼り付けることにより適切な場所で置いたり吊るしたりことが可能でありながら立体的で左右対称の製品が得られる。単一の中空三次元要素１と１’は厚さが内側の表面４と接することが可能な、接合１１を形成している輪郭に接している切断された縁２と２’の一つの共通の略平面状の位置合わせ部材３を有することが可能である。各の中空三次元要素１と１’は切断された縁２と２’との後の交互の接合の為にのみならず、嵌め込み物４との接触も、独自の嵌め込み物３を有することが可能であり、製品を経済的に作成することを可能にする。
【００２３】
略平面状の位置合わせ部材３は少なくとも一つの嵌め込み口７と吊架９を固定する為の（図２、図１４と図２２参照）一つの切り口８を含めている為、吊架９の固定を確実に確保しながら型や配置の公差の安定化の主な機能の実行を阻まないのである。嵌め込み物３を中空三次元要素に設置する際、嵌め込み口７に指を押し込むことにより組み立ての際、利便性が更に高まる。嵌め込み口７又は補足の嵌め込み口７’は略平面状の位置合わせ部材３（図１４と図２２参照）の下部に設置されていると、中に重り１０すなわち加重剤（ボルトとナット、ゴムからなる塑形剤、粘土等）の設置が可能になり、様々な水平な表面に設置する際、製品の安定性を確保することが出来る。この外、嵌め込み物３は磁石を含む場合、装飾的・実用的な物品を様々な金属製の表面（冷蔵庫のドアの表面等）に固定することが安易になる。磁石は両面テープで取り換えることが可能である。その場合、製品をどんな平坦な表面にも設置することが可能な一方、一度設置した製品は統一性を破壊せずに違う場所に移動させることが困難である。
【００２４】
末端で接合される中空三次元要素１と１’は軸及び／又は平坦な対称を原則として形成することが可能であり、中空三次元要素の切断された縁２と２’は結び付けられ、簡潔で流線形の製品を得ることが出来る。上記のような製品は鈴・卵・星・動物・マネキン人形等に属することが可能である。
【００２５】
末端で接合される中空三次元要素１と１’は非対称に作られる場合があり、その切断された縁２は少なくとも輪郭に結び付けられるように作られている。上記により更に複合的な製品：口や取り外しが可能な蓋がある急須、様々な体勢の人形や動物等が製作可能である。
【００２６】
中空三次元要素１と１’の相互に分解し難い基礎の表面と略平面状の位置合わせ部材３とを接合する為には接着剤の使用は最も望ましい一方、糸でも縫い合わせることが可能であり、更に印刷用の漆の分厚い層で塗ることも可能である。
【００２７】
完成製品の表面６は着色や染色及び絵画５が付けられている場合があり、装飾的な要素：ビーズ、マクラメ等を使用している補足の独自の仕上げを含む場合もある。従って中空三次元要素１と１’の組み合わせの結果、著しく装飾的な性質を持っているクリスマスツリー又は同様の玩具を得ることが出来る。
【００２８】
出願人の意図するところによると、装飾的・実用的な物品は完成したクリスマスツリーの同等の玩具、又は様々な中空三次元要素１から成る表面６に後の着色や染色及び絵画５を塗布するセットの一部の大量生産の製品でもあり得る。結果として娯楽や創造力・理解力の発達の方法として大人にも子供にも独自で作成することが可能である。様々な芸術的な長所を持つ唯一無二の装飾的・実用的な物品になる。
【００２９】
装飾的・実用的な物品の可能で望ましい製造方法の内の一つは次のような技術的な手続きを踏んでいる。
【００３０】
印刷術の廃棄物と刷り損じた紙を使用した液状の紙パルプが用意する。真空方法により突起プアンソンで被覆を形成するか、更に最も経済的に作り得る多数の同型の中空三次元要素１を部分的にセンサーで調整し、乾燥させ、形成する。乾燥後、縁２（技術的な寸法増しが削除される）が切断され、既成中空三次元要素１を容器に配置する。
【００３１】
同様の方法により装飾的・実用的な物品の対称・非対称の中空三次元要素１が得られる。
【００３２】
抜き型において略平面状の位置合わせ部材３の表面にある必要な歯型に切り取られた箇所８と嵌め込み口７及び７’が得られる。各嵌め込み物３の輪郭は中空三次元要素１の切断された縁２に接している内側の表面４の正確に適合する輪郭に相応している。
【００３３】
形作りや型抜きの方法により得られた部品の中から装飾的・実用的な物品、殊にクリスマスツリーの装飾品を独自に作成する為の組み立て道具が作り上げられる。
【００３４】
装飾的・実用的な物品作成は興味深いゲームや娯楽として創造力や知的能力を適応させた社会グループでの実践的な訓練として子供から大人までの様々な能力（例えば運動機能等）、判断力・理解力を発達させることが可能である。
【００３５】
本発明の実施例の検討
【実施例１】
【００３６】
“半鈴”の玩具の作成（図１−６参照）。
【００３７】
紙パルプの処理方法により切断された縁２を持ついわゆる“鈴”の半分、中空三次元要素１が得られる。略平面状の位置合わせ部材３が微細な縮小を施された厚紙から抜き取る方法により得られる。
【００３８】
その後、得た部品は“半鈴”という装飾的・実用的な物品は独自作成の為、住民向けの販売目的で売出されるか、又は、特殊な製造条件において既存の製造法を基に特に機械化や自動化の方法を使用し、組み立てや装飾のため利用される。
【００３９】
切断された縁２に接している中空三次元要素１の内側の表面４の輪郭に指を配置する為にある嵌め込み口７、と切断された縁２の端からはみ出ないように略平面状の位置合わせ部材３に糊の一層を塗布し、内部に挿入する。必要な場合、得られた接合部分に補助として糊を塗布することも出来る。接着された半製品は接合の粘着部分を含め、細かい紙やすりで加工することが可能である。結果、今後の装飾化に用意されている“半鈴”という軽量で且つ堅牢で立体的な半製品が得られる。装飾化に半製品の立体的な突起部を曝すことが十分であると考えられる。半製品の立体的な突起部は下塗りをされ、外側の表面１；６に絵を付けることが可能で、糊で塗布され、例えばビーズのモザイク画を付けることが可能である。  
完成した装飾的・実用的な物品は水平な表面に可動の装飾品として設置することが可能で、又は冷蔵庫のドアに取り付けることも可能である。
【実施例２】
【００４０】
“鈴”というクリスマスツリーの玩具の作成（図７−１２参照）。
【００４１】
鈴の半分と略平面状の位置合わせ部材３が実施例１に記述されている方法により得られる。
【００４２】
次のような技術特徴を強調している。
【００４３】
略平面状の位置合わせ部材３に吊架の部分９が結び付けられ、例えばループのある紐が嵌め込み口７に通され、切り口８に固定される。切断された縁２に接している中空三次元要素１の内側の表面４の輪郭に一層の糊が塗布され、略平面状の位置合わせ部材３が挿入される。その略平面状の位置合わせ部材３の部分が切断された縁２の端からはみ出るように、隣接の中空三次元要素２と接合する。切断された縁２に接している二番目の中空三次元要素１’の内側の表面４の輪郭にも糊が一層塗布され、一番目の中空三次元要素１と既に貼り付けられている略平面状の位置合わせ部材３の突起部と末端で接合する。必要な場合、接合１１に補助として糊を塗布される。接着された半製品は粘着の接合１１を含め、細かい紙やすりで加工することが可能である。
【００４４】
出来上がった吊架の部分９を有する装飾的・実用的な物品はクリスマスツリーの直接的用途である装飾品として使用出来る。
【実施例３】
【００４５】
“星空”の玩具の作成（図面が添付されていない）。
【００４６】
この場合、例１及び例２と同等の方法が使用されている。中空三次元要素は一つのみ（“星”の半分）が使われる。中に同じ高さで合わせ、接着剤で略平面状の位置合わせ部材が設置される。
【００４７】
装飾化に半製品の立体的な突起部が曝される。その後、完成した製品の背面（略平面状の位置合わせ部材の開かれた部分）に両面テープが接着され、糊が塗布され、天井に取り付けられる。その他の片面の突起した星（要望により、両面の突起した星にも容易に変形可能）が同じように取り扱われる。
【実施例４】
【００４８】
“天使”の玩具の作成（図１３−１９参照）。
【００４９】
この場合、略平面状の位置合わせ部材に吊架の部分９と、補足の嵌め込み口７に重り１０が、それぞれ設置されるのを除き、例１−３と同等の方法が使用される。
【００５０】
重り１０により、白色を主に使用した装飾された玩具はどのように水平な表面にも安定した配置が確保される一方、吊架の部分９により、どのように突起した物体（クリスマスツリーの枝、壁に打ち付けられた釘等）にもぶら下げることが可能である。
【実施例５】
【００５１】
非対称の“急須”という玩具の作成（図２０−２７参照）。
【００５２】
製品の部品は切断された縁２を有する取手１のある“半分”と取手（１’）がない“半分”の幾つかの独自の中空三次元要素１と、その間に配置する略平面状の位置合わせ部材３（この部品は製品の形及び蓋（キャップ蓋）１２を特定付けられている）を除き、上記に記述している同等の手段により得られる。略平面状の位置合わせ部材３の下部に重り１０を設置する為、補足の嵌め込み口７’を作成する必要がある。
【００５３】
組み立ては例２と同様に行われ、略平面状の位置合わせ部材３に吊架の部分９と、今後の特異な形の部品の接合を配置する合理性が重要となる。第一に、急須という物体が形成され、その後、必要な場合、調整的な機能を部分的に果たしている蓋１２が接着され、装飾化に組み立てられた半製品の完成した中空三次元要素の構造における剛性が以後確保されることとなる。
【００５４】
水平な表面（机や床の上）に急須を配置する場合、組み立て前の製品に略平面状の位置合わせ部材の補足の嵌め込み口７に重りを設置する必要がある。重りは嵌め込み物の別々の側に分離されている塑形用剤か粘土のうちどちらかの二つの塊、又は短いボルトとナットが交互に嵌め込み口７’を通じて接合されている。
【００５５】
完成した装飾的・実用的な物品“急須”はどのように水平な表面にも設置することが可能である。
【００５６】
同等の方法によりその他の装飾的・実用的な物品（イースターエッグ、花、動物、人形、オリジナルのチェス、アルファベット等）も作成することが可能である。
【００５７】
上記に挙げられた例は仮定的な例であり、発明の可能な実行方法を部分的にしか反映しない。
【産業上の利用可能性】
【００５８】
本発明を使用する結果、ゲームや娯楽や創造力・理解力の発達の為や、大人にも子供にも独自で様々な芸術的な長所を持つ装飾的・実用的な物品の作成の為に、使用可能である新規手段が発明された。製品は構造の簡易性、安定した品質により特色付けられており、環境保護の観点により清潔であり、尚且つ天然の自然環境において完全な廃棄物利用も可能である。その他、再生紙の原料の廃棄物利用の問題も部分的に解決される。
【図１】
0006035521.tif 000002
【図２】
0006035521.tif 000003
【図３】
0006035521.tif 000004
【図４】
0006035521.tif 000005
【図５】
0006035521.tif 000006
【図６】
0006035521.tif 000007
【図７】
0006035521.tif 000008
【図８】
0006035521.tif 000009
【図９】
0006035521.tif 000010
【図１０】
0006035521.tif 000011
【図１１】
0006035521.tif 000012
【図１２】
0006035521.tif 000013
【図１３】
0006035521.tif 000014
【図１４】
0006035521.tif 000015
【図１５】
0006035521.tif 000016
【図１６】
0006035521.tif 000017
【図１７】
0006035521.tif 000018
【図１８】
0006035521.tif 000019
【図１９】
0006035521.tif 000020
【図２０】
0006035521.tif 000021
【図２１】
0006035521.tif 000022
【図２２】
0006035521.tif 000023
【図２３】
0006035521.tif 000024
【図２４】
0006035521.tif 000025
【図２５】
0006035521.tif 000026
【図２６】
0006035521.tif 000027
【図２７】
0006035521.tif 000028